(57)【要約】【課題】横向き寝に相応しい枕を提案することができる枕高さ決定方法及び枕高さ決定用測定具を提供する。【解決手段】一実施形態に係る枕高さ決定方法は、正面を向いた使用者Ｍの頬骨Ｍ１から下方向に延びる第１直線Ｌ１、及び使用者Ｍの口元Ｍ３から横方向に延びる第２直線Ｌ２、の交点である第１交点Ｃ１を検出する工程と、第２直線Ｌ２、及び使用者Ｍの顔の輪郭Ｍ４、の交点である第２交点Ｃ２を検出する工程と、第１交点Ｃ１と第２交点Ｃ２との間の長さＸ、又は、頬骨Ｍ１と第２交点Ｃ２とを結ぶ第３直線Ｌ３と第１直線Ｌ１との成す角度θを検出する工程と、長さＸ又は角度θから頬が当たる部分の高さを決定する工程と、を備える。【選択図】図３
2020174744.tif 000002
【特許請求の範囲】
【請求項１】
枕で使用者が横向き寝をしたときに前記枕の前記使用者の頬が当たる部分の高さを決定する枕高さ決定方法であって、
正面を向いた前記使用者の頬骨から下方向に延びる第１直線、及び前記使用者の口元から横方向に延びる第２直線、の交点である第１交点を検出する工程と、
前記第２直線、及び前記使用者の顔の輪郭、の交点である第２交点を検出する工程と、
前記第１交点と前記第２交点との間の長さ、又は、前記頬骨と前記第２交点とを結ぶ第３直線と前記第１直線との成す角度を検出する工程と、
前記長さ又は前記角度から前記頬が当たる部分の高さを決定する工程と、
を備える枕高さ決定方法。
【請求項２】
枕の使用者の頬が当たる部分の高さを決定するときに用いられる枕高さ決定用測定具であって、
正面を向いた前記使用者の頬骨から下方向に延びる第１直線と、
前記使用者の口元から横方向に延びる第２直線と、
前記第２直線と前記使用者の顔の輪郭との交点から前記頬骨まで延びる第３直線と、
を検出する枕高さ決定用測定具。
【発明の詳細な説明】
【技術分野】
【０００１】
本開示は、枕高さ決定方法及び枕高さ決定用測定具に関する。
【背景技術】
【０００２】
特開２０１７−６４１０７号公報には、枕を選択するときに用いられる寝具用形状測定装置が記載されている。寝具用形状測定装置は、枕の購入者である被検者の後頭部及び頸部の形状を形状データとして取得する。寝具用形状測定装置は、取得した被検者の身体の形状データを基に、被検者に適した枕を自動的に選択して表示する機能を有する。
【０００３】
寝具用形状測定装置は、被検者の後頭部及び頸部に当てられる複数の棒状体と、各棒状体の長手方向の一方側に配置された複数のセンサと、センサによって得られた棒状体の位置から後頭部及び頸部の形状データを取得する基板とを備える。この寝具用形状測定装置では、複数のセンサが検出した棒状体の位置から後頭部及び頸部の情報を形状データとして取得することによって、各棒状体の位置から形状データを自動的に取得している。そして、寝具用形状測定装置では、測定した被検者の後頭部及び頸部の高さに応じて枕のリストを情報端末に表示させる。
【先行技術文献】
【特許文献】
【０００４】
【特許文献１】特開２００７−６４１０７号公報
【発明の概要】
【発明が解決しようとする課題】
【０００５】
前述した寝具用形状測定装置では、複数の棒状体の位置を基に後頭部及び頸部の形状データを取得し、取得した形状データを基に枕のリストを情報端末に表示する。この寝具用形状測定装置では、被検者の後頭部及び頸部の形状データを取得することによって仰向き寝をしている被検者の身体形状データを取得することが可能である。
【０００６】
ところで、枕が横向き寝をする使用者に適さない場合、横向き寝をするときに使用者の頬を圧迫する可能性がある。枕で横向き寝をするときに頬が圧迫されると、頬骨に圧力が集中して頬の血流が妨げられ、健康な肌の状態をキープできなくなる可能性がある。しかしながら、前述した寝具用形状測定装置では、横向き寝をしたときにおける被検者の身体形状データの取得については何ら考慮されていない。
【０００７】
本開示は、横向き寝に相応しい枕を提案することができる枕高さ決定方法及び枕高さ決定用測定具を提供することを目的とする。
【課題を解決するための手段】
【０００８】
本開示に係る枕高さ決定方法は、枕で使用者が横向き寝をしたときに枕の使用者の頬が当たる部分の高さを決定する枕高さ決定方法であって、正面を向いた使用者の頬骨から下方向に延びる第１直線、及び使用者の口元から横方向に延びる第２直線、の交点である第１交点を検出する工程と、第２直線、及び使用者の顔の輪郭、の交点である第２交点を検出する工程と、第１交点と第２交点との間の長さ、又は、頬骨と第２交点とを結ぶ第３直線と第１直線との成す角度を検出する工程と、長さ又は角度から頬が当たる部分の高さを決定する工程と、を備える。
【０００９】
この枕高さ決定方法では、枕で使用者が横向き寝をしたときに使用者の頬が当たる部分の枕の高さを決定する。この枕高さ決定方法では、正面を向いた使用者の頬骨から使用者の顔の下方向に延びる第１直線と、正面を向いた使用者の口元から横方向に延びる第２直線と、第２直線と顔の輪郭との交点である第２交点から頬骨まで延びる第３直線とを求める。頬骨、第１交点及び第２交点は直角三角形状を成している。枕高さ決定方法では、第１交点と第２交点との間の長さ、又は斜辺を成す第３直線と第１直線との成す角度、から枕の頬が当たる部分の高さを決定する。第１交点と第２交点との間の長さ、及び第３直線と第１直線との成す角度は、いずれも頬骨から下方に延びる第１直線に対する第３直線の傾斜度合、すなわち、頬骨から顎に向かって延びる部分の傾斜度合に相当する。具体的には、当該長さが長い、又は当該角度が大きい場合には頬骨から顎に向かって引き締まった細い顔を示しており、当該長さが短い又は当該角度が小さい場合には頬骨から顎に向かう部分にエラが張っていて太い顔を示している。従って、当該長さ又は当該角度を検出することによって使用者の顔が細いか太いかを判断することができる。よって、当該長さ又は当該角度から横向き寝時に枕の頬が当たる部分の高さを決定することにより、使用者の顔の形状に応じた横向き寝に相応しい枕を提案することができる。また、枕高さ決定方法では、正面を向いた使用者の顔の形状を測定すればよいので、敷き寝具等に使用者を横たわらせる必要が無い。従って、敷き寝具等を配置する専用のスペースを不要とすることができるので、省スペースを実現させることができる。
【００１０】
本開示に係る枕高さ決定用測定具は、枕の使用者の頬が当たる部分の高さを決定するときに用いられる枕高さ決定用測定具であって、正面を向いた使用者の頬骨から下方向に延びる第１直線と、使用者の口元から横方向に延びる第２直線と、第２直線と使用者の顔の輪郭との交点から頬骨まで延びる第３直線と、を検出する。
【００１１】
この枕高さ決定用測定具は、正面を向いた使用者の頬骨から下方向に延びる第１直線と、使用者の口元から横方向に延びる第２直線と、第２直線と使用者の顔の輪郭との交点から頬骨まで延びる第３直線とを検出する。よって、頬骨から下方に延びる第１直線と、口元から横方向に延びる第２直線と、第２直線と顔の輪郭との交点から頬骨に延びる第３直線とを含む直角三角形を形成することができる。従って、第１直線と第２直線との交点である第１交点から第２直線と第３直線との交点である第２交点までの長さ、又は第３直線と第１直線との成す角度を求めることにより、前述の枕高さ決定方法と同様、枕の頬が当たる部分の高さを決定することができる。その結果、当該長さ又は当該角度から枕の頬が当たる部分の高さを決定することができるので、使用者の顔の形状に応じた横向き寝に相応しい枕を提案することができる。更に、正面を向く使用者の顔の形状を測定すればよいので、形状の測定を効率よく行うことができる。すなわち、正面を向いた使用者の顔の形状を測定すればよく、測定のために敷き寝具等に使用者を横たわらせることを不要とすることができる。従って、測定のための敷き寝具等を不要とできるので、測定のためのスペースを省スペース化することができる。
【発明の効果】
【００１２】
本開示によれば、横向き寝に相応しい枕を提案することができる。
【図面の簡単な説明】
【００１３】
【図１】第１実施形態に係る枕高さ決定方法及び枕高さ決定用測定具が適用される枕の例を示す図である。
【図２】（ａ）、（ｂ）及び（ｃ）のそれぞれは、使用者の顔の形状のタイプを例示的に示す図である。
【図３】第１実施形態に係る枕高さ決定方法を説明するための例示的な使用者の正面図である。
【図４】第１実施形態に係る枕高さ決定用測定具を用いた枕高さ決定方法の例を示す図である。
【図５】図４の枕高さ決定用測定具を示す正面図である。
【図６】第２実施形態に係る枕高さ決定用測定具を用いた枕高さ決定方法の例を示す図である。
【図７】図６の例示的な枕高さ決定用測定具を示す正面図である。
【図８】実施例に係る枕高さ決定方法及び枕高さ決定用測定具を用いた実験の実験結果を示す図である。
【図９】図８の実験において得られた使用者の顔の形状のタイプ別に得られた最大圧力値とパッド枚数との関係を示すグラフである。
【図１０】図８の実験において得られた使用者の顔の形状のタイプ別に得られた平均圧力値とパッド枚数との関係を示すグラフである。
【発明を実施するための形態】
【００１４】
以下では、図面を参照しながら本発明に係る枕高さ決定方法及び枕高さ決定用測定具の実施形態について説明する。本発明は、以降の例示に限定されるものではなく、特許請求の範囲に示され、特許請求の範囲と均等の範囲内における全ての変更が含まれることが意図される。図面の説明において、同一又は相当する要素には同一の符号を付し、重複する説明を適宜省略する。また、図面は、理解の容易のため、一部を簡略化又は誇張して描いており、寸法比率等は図面に記載のものに限定されない。
（第１実施形態）
まず、本実施形態に係る枕高さ決定方法及び枕高さ決定用測定具が適用される枕の例について図１を参照しながら説明する。図１に示されるように、本実施形態に係る枕１は、例えば、汚れ防止のための枕カバーに収容された状態で使用される枕本体である。一例として、枕１は、マットレス又は敷き布団等の敷き寝具の上に載せられて使用される。枕１は、第１方向Ｄ１に延在する一対の長辺２と、第１方向Ｄ１に交差する第２方向Ｄ２に延在する一対の短辺３とを有する。第１方向Ｄ１は枕１の長手方向であり、第２方向Ｄ２は枕１の幅方向である。
【００１５】
例えば、第１方向Ｄ１及び第２方向Ｄ２は互いに直交している。長辺２は、第２方向Ｄ２の一方側に位置する第１長辺２ｂと、第２方向Ｄ２の他方側に位置する第２長辺２ｃとを含む。第２長辺２ｃは、例えば、使用者Ｍ（図２参照）の首が載せられる部位である。短辺３は、第１方向Ｄ１の一方側（図１では左側）に位置する第１短辺３ｂと、第１方向Ｄ１の他方側（図１では右側）に位置する第２短辺３ｃとを含む。本明細書において、「使用者」とは、枕１を使用する可能性がある者を示しており、例えば、枕１を購入する前に枕１を試用する者である。
【００１６】
枕１は、例えば、第１方向Ｄ１の両端側のそれぞれに位置する一対の第１仕切部５と、各第１仕切部５よりも側地１０の隅部１０ｂ側に位置する第２仕切部６とを備える。各第１仕切部５は、枕１の内部空間を仕切っている。各第１仕切部５と各第２仕切部６との間には使用者Ｍの頬が載せられる第１部分Ｐ１が設けられており、各第２仕切部６の隅部１０ｂ側には使用者Ｍの頬から顎まで延びる部分が載せられる第２部分Ｐ２が設けられている。
【００１７】
第２仕切部６は、例えば、側地１０の表面のみを仕切っており、各第２部分Ｐ２における側地１０の表面の裏側にはシート状の高さ調整部材８が出し入れ可能とされている。一例として、第２部分Ｐ２は、シート状の高さ調整部材８を出し入れ可能なポケット状とされている。高さ調整部材８の厚さは、例えば、０．５ｃｍ以上且つ２．０ｃｍ以下であり、一例として１．０ｃｍである。第２部分Ｐ２に高さ調整部材８を出し入れすることによって、第１部分Ｐ１に対する第２部分Ｐ２の高さを適宜調整可能とされている。
【００１８】
高さ調整部材８の材料は、例えば、綿（わた）及びウレタンの少なくともいずれかを含んでいる。高さ調整部材８の材料が綿（わた）である場合、高さ調整部材８を容易に洗濯することができる。また、高さ調整部材８の材料がウレタンである場合、高さ調整部材８の形状をより安定させることができるので、第２部分Ｐ２に更に出し入れしやすい高さ調整部材８とすることが可能である。
【００１９】
本実施形態に係る枕高さ決定方法及び枕高さ決定用測定具では、枕１の第２部分Ｐ２の高さを使用者Ｍの顔の形状に合わせて決定する。一例として、使用者Ｍの顔の形状は、図２（ａ）に示されるように頬骨Ｍ１から顎Ｍ２に向かって引き締まった細い顔のタイプＡと、図２（ｃ）に示されるように頬骨Ｍ１から顎Ｍ２に向かう部分にエラが張っていて太い顔のタイプＣと、図２（ｂ）に示されるように中間の細さの顔のタイプＢと、に分けられる。
【００２０】
本実施形態では、枕１で使用者Ｍが横向き寝をしたときに枕１の使用者Ｍの頬が当たる部分である第２部分Ｐ２の高さを決定する。例えば、上記のタイプＡ、タイプＢ及びタイプＣのように、使用者Ｍの顔のタイプに応じて第２部分Ｐ２の高さを変えた枕１を提案する。以下では、使用者Ｍの顔のタイプを分類する枕高さ決定方法及び枕高さ決定用測定具について説明する。
【００２１】
まず、枕高さ決定方法について説明する。図３に示されるように、正面を向いた使用者Ｍの頬骨Ｍ１から下方向に延びる第１直線Ｌ１、及び使用者Ｍの口元Ｍ３から横方向に延びる第２直線Ｌ２、を定める。本明細書において、「下方向」とは、顔の下方向を示しており、例えば、眉間から口に向かって延びる方向、起立姿勢若しくは着座姿勢における顔の下方向、又は鉛直下方向である。「口元」とは、口、及び口の周辺の部位を示しており、例えば、鼻の下から顎Ｍ２までの間の部位を示している。
【００２２】
本明細書において、「横方向」とは、顔の横方向を示しており、例えば、２つの目のうち一方の目から他方の目に向かって延びる方向、起立姿勢若しくは着座姿勢における顔の横方向、又は水平方向、である。第１直線Ｌ１及び第２直線Ｌ２を定めた後に、第１直線Ｌ１と第２直線Ｌ２との交点である第１交点Ｃ１を検出する（第１交点を検出する工程）。第１交点Ｃ１は、頬骨Ｍ１から第２直線Ｌ２に下した垂線と第２直線Ｌ２との交点であってもよい。
【００２３】
そして、第２直線Ｌ２と使用者Ｍの顔の輪郭Ｍ４との交点である第２交点Ｃ２を検出する（第２交点を検出する工程）。第２交点Ｃ２を検出し、頬骨Ｍ１と第２交点Ｃ２とを第３直線Ｌ３で結ぶことにより、頬骨Ｍ１、第１交点Ｃ１及び第２交点Ｃ２のそれぞれを頂点とする直角三角形Ｔが形成される。なお、本明細書において、「直角三角形」とは、三角形の１つの角が厳密に９０°である場合に限られず、当該角が９０°から多少ずれた三角形（例えば当該角の角度が８０°以上且つ１００°以下である場合等）も含まれる。直角三角形Ｔが形成された後には、直角三角形Ｔの底辺Ｔ１である第１交点Ｃ１と第２交点Ｃ２との間の線分の長さＸ、又は、頬骨Ｍ１と第２交点Ｃ２とを結ぶ斜辺Ｔ２である第３直線Ｌ３と第１直線Ｌ１との成す角度θ、を算出する。
【００２４】
上記の長さＸ及び角度θは、第１直線Ｌ１に対する第３直線Ｌ３の傾斜度合に相当する。具体的には、長さＸ及び角度θのそれぞれの値が大きいほど第３直線Ｌ３の傾斜度合が大きく、長さＸ及び角度θのそれぞれの値が小さいほど第３直線Ｌ３の傾斜度合が小さい。第１直線Ｌ１に対する第３直線Ｌ３の傾斜度合は、使用者Ｍの頬骨Ｍ１から顎Ｍ２に向かって延びる部分の細さに相当する。すなわち、第３直線Ｌ３の傾斜度合が大きいほど頬骨Ｍ１から顎Ｍ２に向かって引き締まった細い顔であることを示しており、第３直線Ｌ３の傾斜度合が小さいほど頬骨Ｍ１から顎Ｍ２に向かう部分にエラが張っていて太い顔であることを示している。
【００２５】
本実施形態では、第１直線Ｌ１に対する第３直線Ｌ３の傾斜度合に応じて枕１の頬が当たる部分、すなわち第２部分Ｐ２の高さを決定する。具体的には、前述した長さＸの値、又は角度θの値から第２部分Ｐ２の高さを決定する（高さを決定する工程）。例えば、長さＸの値は、０ｍｍ以上且つ２５ｍｍ以下である。本実施形態では、長さＸの値が１６ｍｍ以上且つ２５ｍｍ以下をタイプＡ、長さＸの値が６ｍｍ以上且つ１６ｍｍ未満をタイプＢ、長さＸの値が０ｍｍ以上且つ６ｍｍ未満をタイプＣと分類する。
【００２６】
そして、タイプＡの場合には各第２部分Ｐ２に２枚の高さ調整部材８を収容し、タイプＢの場合には各第２部分Ｐ２に１枚の高さ調整部材８を収容し、タイプＣの場合には高さ調整部材８を収容しない。以上のように、第２部分Ｐ２に収容する高さ調整部材８の枚数を決定することにより枕１の高さを決定し、その後、一連の工程を完了する。
【００２７】
次に、本実施形態に係る枕高さ決定用測定具について図４及び図５を参照しながら説明する。図４及び図５に示されるように、枕高さ決定用測定具２１は、使用者Ｍの顔を入れることが可能な枠部２２と、枠部２２に表示された目盛り部２３とを備える。枠部２２は、例えば、矩形枠状とされており、枠部２２の内側に使用者Ｍの顔が入れられる。目盛り部２３は、例えば、枠部２２を形成する縦辺２２ｂ及び横辺２２ｃのそれぞれに示されたミリ単位の目盛りである。
【００２８】
一例として、枕高さ決定用測定具２１は、矩形枠状の枠部２２の左下の角部２１ｂに０と記載されると共に角部２１ｂからの距離に応じた数値が縦辺２２ｂ及び横辺２２ｃのそれぞれに記載されている目盛り部２３を有する。例えば、枠部２２の中に入れられた使用者Ｍの顔がカメラＲによって撮影され、カメラＲが使用者Ｍの顔と共に枠部２２の目盛り部２３を撮影する。カメラＲは、一例として、スマートフォンであってもよい。
【００２９】
そして、目盛り部２３と共に撮影された使用者Ｍの顔の画像において、頬骨Ｍ１から下方向に延びる第１直線Ｌ１、口元Ｍ３から横方向に延びる第２直線Ｌ２、及び、第２直線Ｌ２と使用者Ｍの顔の輪郭Ｍ４との交点である第２交点Ｃ２から頬骨Ｍ１まで延びる第３直線Ｌ３を検出する。例えば、第１直線Ｌ１は検出された頬骨Ｍ１から縦辺２２ｂに平行に延びる直線として検出され、第２直線Ｌ２は検出された口元Ｍ３から横辺２２ｃに平行に延びる直線として検出され、第３直線Ｌ３は第２直線Ｌ２と検出された顔の輪郭Ｍ４との第２交点Ｃ２から頬骨Ｍ１に延びる直線として検出される。
【００３０】
図３に示されるように、第１直線Ｌ１、第２直線Ｌ２及び第３直線Ｌ３が検出されることによって前述した直角三角形Ｔが得られる。従って、直角三角形Ｔの底辺Ｔ１である第１交点Ｃ１と第２交点Ｃ２との間の線分の長さＸ、又は、頬骨Ｍ１と第２交点Ｃ２とを結ぶ斜辺Ｔ２である第３直線Ｌ３と第１直線Ｌ１との成す角度θを得ることが可能である。
【００３１】
次に、本実施形態に係る枕高さ決定方法及び枕高さ決定用測定具２１から得られる作用効果について詳細に説明する。本実施形態に係る枕高さ決定方法では、枕１で使用者Ｍが横向き寝をしたときに使用者Ｍの頬が当たる部分である枕１の第２部分Ｐ２の高さを決定する。この枕高さ決定方法では、正面を向いた使用者Ｍの頬骨Ｍ１から下方向に延びる第１直線Ｌ１と、正面を向いた使用者Ｍの口元Ｍ３から横方向に延びる第２直線Ｌ２と、第２直線Ｌ２と顔の輪郭Ｍ４との交点である第２交点Ｃ２から頬骨Ｍ１まで延びる第３直線Ｌ３とを求める。
【００３２】
頬骨Ｍ１、第１直線Ｌ１と第２直線Ｌ２との交点である第１交点Ｃ１、及び第２直線Ｌ２と顔の輪郭Ｍ４との交点である第２交点Ｃ２、は直角三角形Ｔを成している。枕高さ決定方法では、第１交点Ｃ１と第２交点Ｃ２との間の長さＸ、又は斜辺を成す第３直線Ｌ３と第１直線Ｌ１との成す角度θ、から枕１の頬が当たる第２部分Ｐ２の高さを決定する。第１交点Ｃ１と第２交点Ｃ２との間の長さＸ、及び第３直線Ｌ３と第１直線Ｌ１との成す角度θは、いずれも頬骨Ｍ１から下方に延びる第１直線Ｌ１に対する第３直線Ｌ３の傾斜度合、すなわち、頬骨Ｍ１から顎Ｍ２に向かって延びる部分の傾斜度合に相当する。
【００３３】
具体的には、長さＸが長い、又は角度θが大きい場合には頬骨Ｍ１から顎Ｍ２まで引き締まる細い顔を示しており、長さＸが短い、又は角度θが小さい場合には頬骨Ｍ１からエラが張る太い顔を示している。従って、長さＸ又は角度θを検出することによって使用者Ｍの顔が細いか太いかを判断することができる。
【００３４】
よって、長さＸ又は角度θから横向き寝時に枕１の頬が当たる第２部分Ｐ２の高さを決定することにより、使用者Ｍの顔の形状に応じた横向き寝に相応しい枕１を提案することができる。また、枕高さ決定方法では、正面を向いた使用者Ｍの顔の形状を測定すればよいので、敷き寝具等に使用者Ｍを横たわらせる必要が無い。従って、敷き寝具等を配置する専用のスペースを不要とすることができるので、省スペースを実現させることができる。
【００３５】
また、枕１は、使用者Ｍの頬が載せられる第１部分Ｐ１と、使用者Ｍの頬から顎Ｍ２に向かう部分が載せられる第２部分Ｐ２とを備え、第１部分Ｐ１に対する第２部分Ｐ２の高さが高さ調整部材８によって調整可能とされている。すなわち、高さ調整部材８によって頬から顎Ｍ２に向かう部分の高さを調整可能となる。
【００３６】
従って、頬から顎Ｍ２に向かう部分が引き締まっていて細い顔の使用者Ｍ（例えば図２（ａ）の使用者Ｍ）に対しては高さ調整部材８によって第２部分Ｐ２の高さを高くし、頬から顎Ｍ２に向かう部分にエラが張っていて太い顔の使用者Ｍ（例えば図２（ｃ）の使用者Ｍ）に対しては第２部分Ｐ２を低くして、頬から顎Ｍ２に向かう部分に対する枕１の接触面積を増やすことができる。頬から顎Ｍ２に向かう部分の接触面積を増やすことによって当該部分の圧力を緩和することができるので、使用者Ｍの顔の形状に応じた横向き寝に相応しい枕１を提案することができる。
【００３７】
具体例として、長さＸの値、又は角度θの値から、使用者Ｍの顔のタイプを分類し、分類したタイプに応じて第２部分Ｐ２に収容する高さ調整部材８の枚数を決定する。このように、使用者Ｍの顔の形状を複数のタイプのいずれかに分類することにより、第２部分Ｐ２の高さをよりきめ細やかに変更することができる。よって、個人差に応じて第２部分Ｐ２の高さがよりきめ細やかに調整された枕１を提案することができるので、横向き寝に一層相応しい枕１を使用者Ｍに提案することができる。
【００３８】
枕高さ決定用測定具２１は、正面を向いた使用者Ｍの頬骨Ｍ１から下方向に延びる第１直線Ｌ１と、使用者Ｍの口元Ｍ３から横方向に延びる第２直線Ｌ２と、第２直線Ｌ２と使用者Ｍの顔の輪郭Ｍ４との交点である第２交点Ｃ２から頬骨Ｍ１まで延びる第３直線Ｌ３とを検出する。よって、頬骨Ｍ１から下方向に延びる第１直線Ｌ１と、口元Ｍ３から横方向に延びる第２直線Ｌ２と、第２交点Ｃ２から頬骨Ｍ１に延びる第３直線Ｌ３とを含む直角三角形Ｔを形成することができる。
【００３９】
従って、第１直線Ｌ１と第２直線Ｌ２との交点である第１交点Ｃ１から第２直線Ｌ２と第３直線Ｌ３との交点である第２交点Ｃ２までの長さＸ、又は第３直線Ｌ３と第１直線Ｌ１との成す角度θを求めることにより、前述の枕高さ決定方法と同様、枕１の頬が当たる第２部分Ｐ２の高さを決定することができる。その結果、長さＸ又は角度θから枕１の顔の頬が当たる第２部分Ｐ２の高さを決定することができるので、使用者Ｍの顔の形状に応じた横向き寝に相応しい枕１を提案することができる。
【００４０】
更に、正面を向く使用者Ｍの顔の形状を測定すればよいので、形状の測定を効率よく行うことができる。すなわち、正面を向いた使用者Ｍの顔の形状を測定すればよく、測定のために敷き寝具等に使用者Ｍを横たわらせることを不要とすることができる。更に、測定のための敷き寝具等を不要とできるので、測定のためのスペースを省スペース化することができる。
（第２実施形態）
次に、図６及び図７を参照しながら第２実施形態に係る枕高さ決定用測定具３１について説明する。以降の説明では、前述した第１実施形態と重複する説明を適宜省略する。図６及び図７に示されるように、枕高さ決定用測定具３１は、使用者Ｍの背後に位置する目盛り部材３２を有する。目盛り部材３２は、例えば、格子状に配置された複数の縦線３２ｂ及び複数の横線３２ｃを有し、各縦線３２ｂが鉛直方向に沿うと共に各横線３２ｃが水平方向に沿うように壁Ｗに貼り付けられる。一例として、目盛り部材３２は方眼紙であってもよい。
【００４１】
例えば、目盛り部材３２の前に配置された使用者Ｍの顔がカメラＲによって撮影され、カメラＲは使用者Ｍの顔と共に目盛り部材３２を撮影する。そして、目盛り部材３２と共に撮影された使用者Ｍの顔の画像において、頬骨Ｍ１から下方向に延びる第１直線Ｌ１、口元Ｍ３から横方向に延びる第２直線Ｌ２、及び、第２直線Ｌ２と使用者Ｍの顔の輪郭Ｍ４との交点である第２交点Ｃ２から頬骨Ｍ１まで延びる第３直線Ｌ３を検出する。
【００４２】
例えば、第１直線Ｌ１は検出された頬骨Ｍ１から目盛り部材３２の縦線３２ｂに平行に延びる直線として検出され、第２直線Ｌ２は検出された口元Ｍ３から横線３２ｃに平行に延びる直線として検出され、第３直線Ｌ３は第２直線Ｌ２と検出された顔の輪郭Ｍ４との第２交点Ｃ２から頬骨Ｍ１に延びる直線として検出される。
【００４３】
以上、第２実施形態に係る枕高さ決定用測定具３１では、頬骨Ｍ１から下方向に延びる第１直線Ｌ１と、口元Ｍ３から横方向に延びる第２直線Ｌ２と、第２交点Ｃ２から頬骨Ｍ１に延びる第３直線Ｌ３とを含む直角三角形Ｔを形成することができる。従って、前述した第１実施形態と同様、長さＸ又は角度θから枕１の顔の頬が当たる第２部分Ｐ２の高さを決定することができるので、使用者Ｍの顔の形状に応じた横向き寝に相応しい枕１を提案することができる。そして、正面を向く使用者Ｍの顔の形状を測定すればよいので、形状の測定を効率よく行うことができると共に、測定のためのスペースを省スペース化することができる。
【００４４】
以上、本開示に係る枕高さ決定方法及び枕高さ決定用測定具の実施形態について説明した。しかしながら、本発明は、前述した各実施形態に限定されるものではなく、各請求項に記載した要旨を変更しない範囲において適宜変更可能である。すなわち、枕高さ決定方法の各工程の内容及び順序、並びに、枕高さ決定用測定具の各部の形状、大きさ、材料、数及び配置態様は上記の要旨を逸脱しない範囲において適宜変更可能である。
【００４５】
例えば、前述の実施形態では、一対の第１部分Ｐ１、及び一対の第２部分Ｐ２を備える枕１について説明した。しかしながら、本開示に係る枕高さ決定方法及び枕高さ決定用測定具は枕１以外の枕に対しても適用可能である。すなわち、枕高さ決定方法及び枕高さ決定用測定具が適用される枕の形状、大きさ及び材料については適宜変更可能である。また、高さ調整部材の形状、大きさ、材料、数及び配置態様についても前述した実施形態に限られず適宜変更可能である。例えば、高さ調整部材はシート状以外の形状であってもよい。
【００４６】
また、前述の実施形態では、使用者Ｍの顔がカメラＲによって撮影され、カメラＲが使用者Ｍの顔と共に目盛り部２３又は目盛り部材３２を撮影する例について説明した。この例の場合、使用者Ｍの顔と共に顔の各部の長さを測定可能な目盛りが撮影されるので、撮影された目盛りを基に直角三角形Ｔの長さＸ又は角度θの値の算出が可能となる。
【００４７】
この長さＸ又は角度θの値の算出は、カメラＲによって撮影された画像から自動的に行われてもよいし、手動で行われてもよい。長さＸ又は角度θの値の算出を手動で行う場合には、例えば、枠部２２又は目盛り部材３２のみを用いてカメラＲを用いなくてもよい。このように枕高さ決定用測定具の構成、及び枕高さ決定方法の各工程は適宜変更可能である。
【００４８】
また、前述の実施形態では、長さＸの値が１６ｍｍ以上且つ２５ｍｍ以下をタイプＡ、長さＸの値が６ｍｍ以上且つ１６ｍｍ未満をタイプＢ、長さＸの値が０ｍｍ以上且つ６ｍｍ未満をタイプＣと分類する例について説明した。しかしながら、長さＸの値に基づくタイプの分け方は、上記の例に限られず適宜変更可能である。例えば、長さＸの値が１５ｍｍ以上をタイプＡ、長さＸの値が５ｍｍ以上且つ１５ｍｍ未満をタイプＢ、長さＸの値が５ｍｍ未満をタイプＣと分類してもよい。
（実施例）
次に、本開示に係る枕高さ決定方法及び枕高さ決定用測定具の実施例について説明する。なお、本発明は、後述する実施例に限定されない。実施例に係る実験では、前述した枕高さ決定用測定具２１を用いて複数の被検者の長さＸを測定した。具体的には、図４に示されるように、水平な台を形成する机の上に枕高さ決定用測定具２１の枠部２２とカメラＲとが並ぶように配置を行った。このとき、枠部２２とカメラＲは、共に、台の上面から垂直に立設するように配置した。カメラＲとしては携帯電話を用いた。
【００４９】
なお、本実験では、頬骨Ｍ１の頂点から台の上面に垂直に延びる直線を枠部２２の縦辺２２ｂに一致させると共に、口の端から台の上面に平行に延びる直線を枠部２２の横辺２２ｃに一致させるように、枠部２２に使用者Ｍの顔を入れさせた。このように枠部２２とカメラＲを配置して枠部２２に使用者Ｍの顔を入れた状態でカメラＲで顔を撮影し、撮影した画像から被検者の直角三角形Ｔの底辺の長さＸを求める実験を行った。この実験は、６０人の被検者に対して行い、６０人の被検者のそれぞれの長さＸを算出した。その結果、長さＸの最小値は０ｍｍであり、長さＸの最大値は２５ｍｍであった。
【００５０】
以上のように６０人の被検者から長さＸを求めた後、被検者の顔の形状を、長さＸの値が１６ｍｍ以上且つ２５ｍｍ以下であるタイプＡ、長さＸの値が６ｍｍ以上且つ１６ｍｍ未満であるタイプＢ、長さＸの値が０ｍｍ以上且つ６ｍｍ未満であるタイプＣのいずれかに分類した。
【００５１】
そして、タイプＡ、タイプＢ及びタイプＣのそれぞれから３人の被検者を抽出し、枕１に寝かせたときの体圧分布の測定、最大圧力値の算出、及び平均圧力値の算出を実験によって行った。なお、体圧分布の測定、最大圧力値の算出、及び平均圧力値の算出は、本実験では、Ｘｓｅｎｓｏｒ社の圧力分布測定装置を用いて行った。
【００５２】
タイプＡの３人の被検者のそれぞれの長さＸの値は２３ｍｍ、２０ｍｍ、２０ｍｍ（平均２１ｍｍ）であり、タイプＢの３人の被検者のそれぞれの長さＸの値は１２ｍｍ、１０ｍｍ、１０ｍｍ（平均１０．７ｍｍ）であり、タイプＣの３人の被検者のそれぞれの長さＸの値は５ｍｍ、０ｍｍ、０ｍｍ（平均１．７ｍｍ）であった。
【００５３】
枕１の第１部分Ｐ１以外の部分の内容物の材料をポリエチレンパイプ及びウレタンフォームとし、枕１の表地の材料を綿７０％シルク３０％、枕１の第１部分Ｐ１及び第２部分Ｐ２の内容物の材料をポリエステル１００％とした。枕１の裏地の材料をポリエステル６５％綿３５％とし、高さ調整部材８を厚さが１ｃｍであってウレタンフォームから成るパッドとした。実験は、タイプＡの被検者、タイプＢの被検者、及びタイプＣの被検者に対して、高さ調整部材８（パッド）の枚数を０枚、１枚又は２枚に変えて行った。
【００５４】
以上の実験の体圧分布の結果を図８に示している。図８において、被検者の体圧分布のうち、色彩が濃い箇所は圧力値が高い箇所を示しており、色彩が薄い箇所は圧力値が低い箇所を示している。図８に示されるように、長さＸが１６ｍｍ以上である細い顔のタイプＡの場合、パッドの枚数が０枚又は１枚の場合、頬のあたりＺに高い圧力がかかっていることが分かる。これに対し、パッドの枚数を２枚にして第２部分Ｐ２を高くした場合には、頬のあたりＺにかかる圧力が低減されている。
【００５５】
一方、長さＸが６ｍｍ未満である太い顔のタイプＣの場合、パッドの枚数を１枚又は２枚としたときに、頬のあたりＺに高い圧力がかかっていることが分かる。これに対し、パッドの枚数を０枚として第２部分Ｐ２を低くした場合には、頬のあたりＺにかかる圧力が低減されている。また、長さＸが６ｍｍ以上且つ１６ｍｍ未満である中間の太さのタイプＢの場合、パッドの枚数が１枚のときに頬のあたりＺにかかる圧力が低減されていることが分かる。以上のように、長さＸに応じてパッドの枚数を調整することにより、頬のあたりＺにかかる圧力を低減できることが分かった。
【００５６】
図９は、パッドの枚数と最大圧力値との関係をタイプＡの被検者、タイプＢの被検者、及びタイプＣの被検者ごとに示した実験結果である。図９に示されるように、長さＸが１６ｍｍ以上である細い顔のタイプＡの場合、パッドの枚数が２枚のときに最大圧力値が最も小さく、このときの最大圧力値は１８（ｍｍＨｇ）程度であった。長さＸが６ｍｍ以上且つ１６ｍｍ未満であるタイプＢの場合、パッドの枚数が１枚のときに最大圧力値が最も小さく、このときの最大圧力値は１５（ｍｍＨｇ）程度であった。
【００５７】
長さＸが６ｍｍ未満である太い顔のタイプＣの場合、パッドの枚数が０枚のときに最大圧力値が最も小さく、このときの最大圧力値の値は１３（ｍｍＨｇ）程度であった。以上のように、長さＸに応じてパッドの枚数を調整することにより、最大圧力値を低減できることが分かった。
【００５８】
図１０は、パッドの枚数と平均圧力値との関係をタイプＡの被検者、タイプＢの被検者、及びタイプＣの被検者ごとに示した実験結果である。図１０に示されるように、長さＸが１６ｍｍ以上である細い顔のタイプＡの場合、パッドの枚数が２枚のときに平均圧力値が最も小さく８（ｍｍＨｇ）程度であった。長さＸが６ｍｍ以上且つ１６ｍｍ未満であるタイプＢの場合、パッドの枚数が１枚のときに平均圧力値が最も小さく８（ｍｍＨｇ）程度であった。長さＸが６ｍｍ未満である太い顔のタイプＣの場合、パッドの枚数が０枚のときに平均圧力値が最も小さく６（ｍｍＨｇ）程度であった。
【００５９】
以上のように、長さＸに応じてパッドの枚数を調整することにより、平均圧力値を低減できることが分かった。更に、以上の実施例に係る実験結果より、直角三角形Ｔの長さＸの値が大きい（頬から顎に向かう部分が細い）ときにパッドの枚数を増やし、長さＸの値が小さい（頬から顎に向かう部分が太い）ときにパッドの枚数を減らすことによって被検者に最適な第２部分Ｐ２の高さとすることが可能であることが分かった。
【符号の説明】
【００６０】
１…枕、２…長辺、２ｂ…第１長辺、２ｃ…第２長辺、３…短辺、３ｂ…第１短辺、３ｃ…第２短辺、５…第１仕切部、６…第２仕切部、８…高さ調整部材、１０…側地、２１，３１…枕高さ決定用測定具、２１ｂ…角部、２２…枠部、２２ｂ…縦辺、２２ｃ…横辺、２３…目盛り部、３２…目盛り部材、３２ｂ…縦線、３２ｃ…横線、Ｃ１…第１交点、Ｃ２…第２交点、Ｄ１…第１方向、Ｄ２…第２方向、Ｌ１…第１直線、Ｌ２…第２直線、Ｌ３…第３直線、Ｍ…使用者、Ｍ１…頬骨、Ｍ２…顎、Ｍ３…口元、Ｍ４…輪郭、Ｐ１…第１部分、Ｐ２…第２部分、Ｒ…カメラ、Ｔ…直角三角形、Ｔ１…底辺、Ｔ２…斜辺、Ｗ…壁、θ…角度。
【図１】
2020174744.tif 000003
【図２】
2020174744.tif 000004
【図３】
2020174744.tif 000005
【図４】
2020174744.tif 000006
【図５】
2020174744.tif 000007
【図６】
2020174744.tif 000008
【図７】
2020174744.tif 000009
【図８】
2020174744.tif 000010
【図９】
2020174744.tif 000011
【図１０】
2020174744.tif 000012